(57)【特許請求の範囲】
【請求項１】
階段表面と側壁面との入隅部に沿って、かつ厚さ方向を階段幅方向に沿わせて配設される縦巾木及び横巾木からなる階段巾木の前記縦巾木の下端部と前記横巾木の後端部とを接合するように配設されるとともに、これらの側表面を覆う表面カバー部と、
前記縦巾木の前端面及び前記横巾木の上端面に沿うように断面略Ｖ字状に形成されるとともに、前記表面カバー部から側壁面側に向けて突設されたコーナーカバー片部とを備えており、
前記コーナーカバー片部における前記縦巾木の前端面及び前記横巾木の上端面のそれぞれを覆う各片部の縁端部には、前記縦巾木の前端面及び前記横巾木の上端面のそれぞれに向けて下るように傾斜する傾斜面が設けられていることを特徴とする階段巾木カバー。
【請求項２】
請求項１において、
前記表面カバー部の縁端部には、前記縦巾木及び前記横巾木の側表面のそれぞれに向けて下るように傾斜する傾斜面が設けられていることを特徴とする階段巾木カバー。
【請求項３】
請求項１または２において、
前記表面カバー部の裏面には、前記縦巾木と前記横巾木との接合部の隙間に挿入される挿入片が側壁面側に向けて突設されていることを特徴とする階段巾木カバー。
【発明の詳細な説明】
【技術分野】
【０００１】
本発明は、階段表面と側壁面との入隅部に沿って配設される階段巾木の階段巾木カバーに関する。
【背景技術】
【０００２】
従来より住居等の建物内に設けられる階段の踏み板の上面及び蹴込み板の前面と、この階段の側方の側壁面との入隅部に沿って配設される階段巾木が知られている。
この階段巾木は、蹴込み板の前面に沿って配設される縦巾木と踏み板の上面に沿って配設される横巾木とを組み合わせた構造とされている。
このような階段巾木は、一般的に、長尺に形成された帯状材とされており、この帯状材を、予め工場等において、または施工現場において階段の踏み板や蹴込み板のサイズに合わせて切断することで、縦巾木及び横巾木とされる。このように縦巾木と横巾木とを適宜の長さに切断して取り付ける構造とされているため、これらを隙間なく接合するためには、現場作業で微調整が必要となり、また、加工誤差や施工誤差等に起因してこれらの端部間に隙間が発生する場合がある。
【０００３】
例えば、下記特許文献１では、横巾木と縦巾木とを連結するための調整巾木を備えた階段の巾木構造が提案されている。
この巾木構造は、調整巾木に、横巾木及び縦巾木の連結部を外部から覆う基板部と、この基板部の切り欠かれた一隅部上に配置されるとともに断面形状が直角三角形状をなす三角柱の巾木支持部とを設けた構造とされている。この調整巾木は、直角三角形状の巾木支持部の二辺が横巾木に接触する横巾木用ガイド面及び縦巾木に接触する縦巾木用ガイド面となる構造とされている。このような構造とされた調整巾木によれば、横巾木及び縦巾木と調整巾木との取着位置を調整する際、横巾木及び縦巾木を摺動ガイドしながら支持することが可能である、と説明されている。
【先行技術文献】
【特許文献】
【０００４】
【特許文献１】特開２００４−７６４５９号公報
【発明の概要】
【発明が解決しようとする課題】
【０００５】
しかしながら、上記特許文献１に記載された調整巾木は、直角三角形状の巾木支持部を設けた構造とされている。従って、表面側に位置し、互いに直交する縦巾木の前面と横巾木の上面との接合部において、この巾木支持部の表面側に露出する部位（上記二辺以外の辺）が、表面側において傾斜面として露出し、違和感が生じ、見栄えが悪くなるという問題があった。
【０００６】
本発明は、上記実情に鑑みてなされたものであり、階段巾木の縦巾木と横巾木との接合部を見栄え良く納め得る階段巾木カバーを提供することを目的としている。
【課題を解決するための手段】
【０００７】
上記目的を達成するために、本発明に係る階段巾木カバーは、階段表面と側壁面との入隅部に沿って、かつ厚さ方向を階段幅方向に沿わせて配設される縦巾木及び横巾木からなる階段巾木の前記縦巾木の下端部と前記横巾木の後端部とを接合するように配設されるとともに、これらの側表面を覆う表面カバー部と、前記縦巾木の前端面及び前記横巾木の上端面に沿うように断面略Ｖ字状に形成されるとともに、前記表面カバー部から側壁面側に向けて突設されたコーナーカバー片部とを備えており、前記コーナーカバー片部における前記縦巾木の前端面及び前記横巾木の上端面のそれぞれを覆う各片部の縁端部には、前記縦巾木の前端面及び前記横巾木の上端面のそれぞれに向けて下るように傾斜する傾斜面が設けられていることを特徴とする。
【０００８】
本発明においては、前記表面カバー部の縁端部に、前記縦巾木及び前記横巾木の側表面のそれぞれに向けて下るように傾斜する傾斜面を設けるようにしてもよい。
また、本発明においては、前記表面カバー部の裏面に、前記縦巾木と前記横巾木との接合部の隙間に挿入される挿入片を側壁面側に向けて突設するようにしてもよい。
【発明の効果】
【０００９】
本発明に係る階段巾木カバーは、上述のような構成としたことで、階段巾木の縦巾木と横巾木との接合部を見栄え良く納めることができる。
【図面の簡単な説明】
【００１０】
【図１】（ａ）、（ｂ）は、いずれも本発明の一実施形態に係る階段巾木カバーを用いた階段巾木の接合部納め構造の一例を模式的に示し、（ａ）は、一部破断概略正面図、（ｂ）は、一部破断概略拡大斜視図である。
【図２】（ａ）は、図１（ａ）におけるＸ１部に対応させた概略拡大正面図、（ｂ）は、（ａ）に対応させた概略拡大背面図である。
【図３】（ａ）は、図１（ａ）におけるＹ−Ｙ線矢視に対応させた一部破断概略拡大断面図、（ｂ）は、図１（ａ）におけるＺ−Ｚ線矢視に対応させた一部破断概略拡大断面図、（ｃ）、（ｄ）は、同階段巾木カバーをそれぞれ模式的に示す概略拡大一側面図である。
【図４】（ａ）、（ｂ）は、いずれも本発明の他の実施形態に係る階段巾木カバーを用いた階段巾木の接合部納め構造の一例を模式的に示し、図１（ａ）、（ｂ）にそれぞれ対応させた図である。
【図５】（ａ）は、図４（ａ）におけるＸ２部に対応させた概略拡大正面図、（ｂ）は、（ａ）に対応させた概略拡大背面図である。
【図６】（ａ）は、同階段巾木カバーを模式的に示す概略拡大平面図、（ｂ）、（ｃ）は、同階段巾木カバーをそれぞれ模式的に示す概略拡大一側面図、（ｄ）は、同階段巾木カバーを模式的に示す概略拡大底面図である。
【図７】（ａ）、（ｂ）は、いずれも本発明の更に他の実施形態に係る階段巾木カバーを用いた階段巾木の接合部納め構造の一例を模式的に示し、図１（ａ）、（ｂ）にそれぞれ対応させた図である。
【図８】（ａ）は、図７（ａ）におけるＸ３部に対応させた概略拡大正面図、（ｂ）は、（ａ）に対応させた概略拡大背面図である。
【図９】（ａ）、（ｂ）は、同階段巾木カバーをそれぞれ模式的に示す概略拡大一側面図、（ｃ）は、同階段巾木カバーの一変形例を模式的に示し、図８（ｂ）に対応させた図である。
【発明を実施するための形態】
【００１１】
以下に本発明の実施の形態について、図面に基づいて説明する。
図１〜図３は、第１実施形態に係る階段巾木カバー及びこれを用いた階段巾木の接合部納め構造の一例について説明するための概念的な説明図である。
なお、一部の図では、他図に付している詳細な符号の一部を省略している。
【００１２】
本実施形態に係る階段巾木カバー１は、図１に示すように、階段３の表面と側壁面６との入隅部に沿って配設される階段巾木２を接合するようにして、その接合部に配設される。
階段３は、略垂直に配設される蹴込み板４と、略水平に配設される踏み板５とを備え、これら蹴込み板４と踏み板５とは、側枠（側板）や柱材、コンクリート下地などの階段下地に固定されるとともに、互いに連結されている。
これら蹴込み板４及び踏み板５の側端部に位置する側壁面６と、階段表面となる蹴込み板４の前面４ａ及び踏み板５の上面５ａとの入隅部に沿って階段巾木２が配設される。
【００１３】
階段巾木２は、蹴込み板４の前面４ａと側壁面６との入隅部に沿うようにして配設される縦巾木２０と、踏み板５の上面５ａと側壁面６との入隅部に沿うようにして配設される横巾木２５とを備えている。
これら縦巾木２０及び横巾木２５は、薄板状とされており、厚さ寸法（階段幅方向に沿う寸法）が、例えば、５ｍｍ〜２０ｍｍ程度、幅寸法（階段表面に対して略直交する方向の寸法）が、例えば、４０ｍｍ〜１００ｍｍ程度とされている。
また、縦巾木２０の幅方向の階段表面側（蹴込み板４の前面４ａ側）の端部（後端部）には、図３（ａ）に示すように、側壁面６に向く面（以下、側裏面と略す。）２０ｃから側表面（側壁面６と同方向に向く面）２０ａに向けて傾斜する傾斜面２４が設けられている。このような傾斜面２４を設けることで、廻り階段などで蹴込み板４の前面４ａと側壁面６とのなす角が鈍角となるような場合にも、当該縦巾木２０の後端部の側表面２０ａ側縁部を蹴込み板４の前面４ａに近接乃至は当接させることができる。なお、図示を省略しているが、横巾木２５の幅方向の階段表面側（踏み板５の前面５ａ側）の端部（下端部）にも同様の傾斜面が設けられている。
【００１４】
この階段巾木２は、合板やＬＶＬ等の木質積層板、パーティクルボード等の木質ボード、またはインシュレーションボードやＭＤＦ（中密度繊維板）等の木質繊維板などの木質系板材から形成されたものとしてもよい。
本実施形態では、ＭＤＦ等の木質繊維板を基板とし、この基板の少なくとも表面側に露出する部位（側表面２０ａ，２５ａ及び幅方向の反階段表面側の端面２０ｂ，２５ｂ）に、合成樹脂化粧シート（フィルム）を貼着した構造としている。なお、このような態様に代えて、基板の表面に化粧紙を貼着した構造としてもよく、または、基板の表面に、防汚性塗料や耐光性塗料、撥水性塗料等の塗布によるコーティング処理を施す態様としてもよい。このような基板としては、木質系板材に限られず、合成樹脂系材料や金属系材料等を板状に加工したものとしてもよい。
【００１５】
この階段巾木２の縦巾木２０及び横巾木２５は、長尺の帯状に形成された帯状材を、予め工場等において、または施工現場において、互いの接合態様に応じた形状及び上記各入隅部に応じた長さ寸法となるように切断して形成されるものとしてもよい。
本実施形態では、図１及び図２に示すように、縦巾木２０の上端部２２及び下端部２１並びに横巾木２５の前端部２７及び後端部２６を、それぞれ斜め略４５度に切断した例を示している。また、縦巾木２０の上部後側に、後方に向けて開口し、踏み板５の段鼻５ｂを受け入れる段鼻凹部２３を形成した例を示している。
【００１６】
上記構造とされた階段巾木２は、例えば、以下のように側壁面６と階段表面４ａ，５ａとの入隅部に沿って配設される。
縦巾木２０の固定は、その側裏面２０ｃ（図３（ａ）参照）を側壁面６に当接させるととともに、その段鼻凹部２３に踏み板５の段鼻５ｂを受け入れさせ、さらに、この縦巾木２０の後端面を蹴込み板４の前面４ａに当接させ、固定するようにしてもよい。
横巾木２５の固定は、その側裏面２５ｃ（図３（ａ）参照）を側壁面６に当接させるとともに、その下端面を踏み板５の上面５ａに当接させ、さらに、その前端面を縦巾木２０の上端面に突き合わせて当接させ、固定するようにしてもよい。つまり、縦巾木２０の上端部２２と横巾木２５の前端部２７とは、図１に示すように、互いに斜め略４５度の傾斜面とされた縦巾木２０の上端面と横巾木２５の前端面とが概ね一致するように突き合わせられ、当接されて、留め加工状に接合される例を示している。
なお、これら縦巾木２０及び横巾木２５の上記入隅部への固定は、隠し釘などの固定止具や接着剤などを用いて固定するようにしてもよい。
【００１７】
また、斜め略４５度に切断された縦巾木２０の下端部２１と横巾木２５の後端部２６とは、これらの各端面２１ａ，２６ａ同士が対面するように配設される。つまり、本実施形態では、縦巾木２０の下端部２１と横巾木２５の後端部２６とは、留め加工状に接合部が傾斜して接合される構造とされている。
これら縦巾木２０及び横巾木２５の各端部２１，２６の各端面２１ａ，２６ａを、上記した縦巾木２０の上端部２２及び横巾木２５の前端部２７と同様にして突き合わせて当接させることも考えられるが、加工誤差や施工誤差等に起因してこれらの間には隙間が生じることが考えられる。また、これらを隙間なく接合するためには、現場作業で微調整を行う必要があり面倒な作業ともなる。
そこで、これら縦巾木２０の下端部２１と横巾木２５の後端部２６とを接合するように、本実施形態に係る階段巾木カバー１が配設される。
【００１８】
階段巾木カバー１は、図１に示すように、階段巾木２の縦巾木２０の下端部２１と横巾木２５の後端部２６との接合部に沿うように帯板状に形成され、かつ、これらの側表面２０ａ，２５ａを覆う表面カバー部１０を備えている。
本実施形態では、表面カバー部１０は、留め加工状に傾斜して接合される構造とされた縦巾木２０の下端部２１と横巾木２５の後端部２６との接合部に沿って傾斜して配設される構造とされている。
表面カバー部１０は、図３（ｂ）、（ｄ）に示すように、薄平板状に形成されている。また、表面カバー部１０は、図２（ａ）に示すように、上記のように傾斜した接合部の長さに応じた長さとされるとともに、縦巾木２０の下端面２１ａ近傍の側表面２０ａ及び横巾木２５の後端面２６ａ近傍の側表面２５ａを覆うように比較的幅狭とされた帯板状とされている。
【００１９】
この表面カバー部１０の幅方向両側の縁端部には、図３（ｂ）に示すように、縦巾木２０の側表面２０ａ及び横巾木２５の側表面２５ａのそれぞれに向けて下るように傾斜する傾斜面１１，１１が設けられている。つまり、表面カバー部１０の縁端部の表面が幅方向外方側に向かうに従って各側表面２０ａ，２５ａのそれぞれに向けて近づくように、当該表面カバー部１０の幅方向の両縁端部の断面形状が幅方向外方側に向けて先細り形状とされている。
これら傾斜面１１，１１は、図２（ａ）に示すように、当該表面カバー部１０の長手方向に沿って、その略全長に亘って設けられている。
【００２０】
また、この表面カバー部１０の長手方向の一端部（後下端部）１２は、図２（ａ）に示すように、階段３の蹴込み板４の前面４ａと階段３の踏み板５の上面５ａとの入隅部に対応させて略三角形状に突出した形状とされている。つまり、表面カバー部１０の後下端部１２は、この入隅部に向けて突出するように形成された先の尖った尖頭形状とされている。図例では、略直交するように配設された蹴込み板４と踏み板５との入隅部に対応させて、略直角三角形状とされており、外郭形状をなす二辺部が蹴込み板４の前面４ａ及び踏み板５の上面５ａのそれぞれに近接乃至は当接して配設される構成とされている。
【００２１】
一方、この表面カバー部１０の長手方向の他端部（前上端部）１３は、縦巾木２０の前端面２０ｂと横巾木２５の上端面２５ｂとの入隅部に対応させて略Ｖ字状に凹んだ形状とされている。図例では、略直交するように配設される縦巾木２０の前端面２０ｂと横巾木２５の上端面２５ｂとの入隅部に対応させて、略Ｖ字状の二辺部のなす角が略直角状となるように凹んだ形状とされている。また、この二辺部が縦巾木２０の前端面２０ｂ及び横巾木２５の上端面２５ｂのそれぞれに沿うように配設される構成とされている。
上記のように傾斜した接合部の長さに応じた長さとされ、この接合部に沿って傾斜して配設される表面カバー部１０は、図２（ａ）に示すように、当該表面カバー部１０の幅方向中心線を挟んで、線対称の形状とされている。また、このように幅方向に線対称とされた幅方向の各側部は、後下端部１２の各辺部から前上端部１３の各辺部までの長さが、斜めに切断された階段巾木２の各端面２１ａ，２６ａの長手方向に沿う長さに応じた長さとされている。また、上記各側部は、これら各端面２１ａ，２６ａ近傍の側表面２０ａ，２５ａを帯状にそれぞれが覆う形状とされている。
【００２２】
また、前上端部１３には、図３（ａ）に示すように、縦巾木２０の前端面２０ｂ及び横巾木２５の上端面２５ｂを覆うように形成されるとともに、側壁面６側に向けて突設されたコーナーカバー片部１４が連成されている。
コーナーカバー片部１４は、本実施形態では、図２（ｂ）に示すように、縦巾木２０の前端面２０ｂ及び横巾木２５の上端面２５ｂに沿うように断面略Ｖ字状に形成されている。つまり、本実施形態では、上記のように略Ｖ字状に凹んだ形状とされた前上端部１３の両辺部から側壁面６側に向けて突出するようにして断面略Ｖ字状のコーナーカバー片部１４が連成されている。
このコーナーカバー片部１４の前上端部１３裏面からの突出寸法は、図３（ａ）に示すように、階段巾木２の厚さ寸法と概ね同寸法とされている。
【００２３】
上記のように断面略Ｖ字状とされたコーナーカバー片部１４の各片部は、縦巾木２０の前端面２０ｂ及び横巾木２５の上端面２５ｂのそれぞれに近接乃至は当接する構成とされている。
また、このコーナーカバー片部１４の各片部の縁端部（当該階段巾木カバー１の幅方向外方側の縁端部）には、縦巾木２０の前端面２０ｂ及び横巾木２５の上端面２５ｂのそれぞれに向けて下るように傾斜する上記同様の傾斜面１５，１５が設けられている。
これら傾斜面１５，１５は、図３（ｃ）に示すように、当該コーナーカバー片部１４の突出方向に沿って、その略全長に亘って設けられている。
【００２４】
また、表面カバー部１０の裏面（側壁面６側に向く面）には、図２及び図３（ｂ）に示すように、縦巾木２０の下端部２１と横巾木２５の後端部２６との接合部の隙間２９に挿入される挿入片１６が側壁面６側に向けて突設されている。この挿入片１６の表面カバー部１０裏面からの突出寸法は、図３（ｂ）に示すように、コーナーカバー片部１４と同様、階段巾木２の厚さ寸法と概ね同寸法とされている。
挿入片１６は、表面カバー部１０の幅方向略中心線に沿うように当該表面カバー部１０の長手方向に沿って形成されており、その両側の各側面が、縦巾木２０の下端面２１ａ及び横巾木２５の後端面２６ａのそれぞれに近接乃至は当接して配設される構成とされている。
【００２５】
この挿入片１６は、図２（ｂ）及び図３（ｂ）、（ｄ）に示すように、薄平板状とされており、その長手方向の一端部が略Ｖ字状とされたコーナーカバー片部１４の角部に連成されている。つまり、図２（ｂ）に示すように、略Ｖ字状のコーナーカバー片部１４と、この角部に連なる挿入片１６とによって略Ｙ字状の突出片部が表面カバー部１０の裏面側に形成される。
また、図例では、この挿入片１６は、表面カバー部１０の前上端部１３に連成されたコーナーカバー片部１４から、表面カバー部１０の後下端部１２に至るまで設けられておらず、当該表面カバー部１０の長手方向の途中部位まで設けられたものを例示している。つまり、挿入片１６の長手方向の他端部が表面カバー部１０の裏面の長手方向の途中部位に位置している。この挿入片１６の他端部は、図３（ａ）に示すように、上記のように階段巾木２の幅方向の階段表面側の端部に設けられた傾斜面２４の傾斜始端（傾斜面の側裏面側の縁部）と同程度の位置またはこれよりも前上端部１３側に位置するようにすることが好ましい。これによれば、上記のように廻り階段などに配設された階段巾木２の接合部に当該階段巾木カバー１を配設するような場合にも、挿入片１６が蹴込み板４の前面４ａや側壁面６に当接、干渉するようなことを防止することができる。
【００２６】
なお、階段巾木カバー１は、合成樹脂系材料や金属系材料等から一体的に上記形状に形成するようにしてもよい。また、少なくとも表面側に露出する部位（表面カバー部１０の表面及びコーナーカバー片部１４の表面など）には、階段巾木２の模様や色調に合わせた塗装などを施すようにしてもよい。
【００２７】
上記構成とされた階段巾木カバー１は、上述したように階段巾木２の縦巾木２０及び横巾木２５を、側壁面６と階段表面４ａ，５ａとの入隅部に沿って配設し、これらを固定した後に、その接合部に沿って配設するようにしてもよい。
この際、表面カバー部１０の裏面に設けられた挿入片１６を接合部の隙間２９に挿入し、表面カバー部１０の裏面を各側表面２０ａ，２５ａに当接させる。また、その際、コーナーカバー片部１４の各片部を縦巾木２０の前端面２０ｂ及び横巾木２５の上端面２５ｂにそれぞれを沿わせるようにして当接させ、当該階段巾木カバー１を位置決めし、固定するようにしてもよい。
つまり、挿入片１６を接合部の隙間２９に挿入させて、大まかな位置合わせを行う。そして、当該階段巾木カバー１を、挿入片１６の長手方向（接合部の傾斜方向）に沿わせてスライドさせ、コーナーカバー片部１４の各片部を縦巾木２０の前端面２０ｂ及び横巾木２５の上端面２５ｂにそれぞれ当接させることで、当該階段巾木カバー１の位置決めを行うようにしてもよい。また、この際、表面カバー部１０の後下端部１２の各辺部を、蹴込み板４の前面４ａ及び踏み板５の上面５ａのそれぞれに当接させて、当該階段巾木カバー１の位置決めを行うようにしてもよい。
【００２８】
なお、階段巾木カバー１の階段巾木２への固定は、表面カバー部１０の裏面や挿入片１６の側面に接着剤などを塗布し、固定するようにしてもよい。
また、縦巾木２０及び横巾木２５を固定した後に、階段巾木カバー１をこれらの接合部に取付固定する態様に限られず、縦巾木２０及び横巾木２５の一方を固定した後、階段巾木カバー１を、その一方に対して取付固定し、次いで、他方を固定する態様としてもよい。このような施工態様においても、階段巾木カバー１の挿入片１６及びコーナーカバー片部１４を利用して、当該階段巾木カバー１の位置合わせを容易に行うことができる。
【００２９】
以上のように、本実施形態に係る階段巾木カバー１を用いて階段巾木２の接合部を納めることで、階段巾木２の縦巾木２０と横巾木２５との接合部を見栄え良く納めることができる。
つまり、本実施形態に係る階段巾木カバー１は、縦巾木２０の下端部２１と横巾木２５の後端部２６とを接合するように配設されるとともに、これらの側表面２０ａ，２５ａを覆う表面カバー部１０を備えている。従って、縦巾木２０の下端面２１ａと横巾木２５の後端面２６ａとの間に形成される隙間２９を覆い隠すことができ、これらの接合部を見栄え良く納めることができる。また、これにより、縦巾木２０及び横巾木２５の寸法の微調整を現場作業で高精度に行う必要がなく、施工作業の効率化を図ることができる。
【００３０】
また、本実施形態では、この表面カバー部１０は、接合部に沿うように帯板状に形成されているので、接合部位において、当該階段巾木カバー１が目立ち難く、すっきりとした外観となり、見栄えを向上させることができる。
さらに、この表面カバー部１０は、留め加工状に傾斜して接合される縦巾木２０の下端部２１と横巾木２５の後端部２６との接合部に沿って傾斜して配設される構造とされているので、当該階段巾木カバー１が階段３のアクセントとなり、見栄えを向上させることができる。
さらにまた、表面カバー部１０の長手方向の各端部１２，１３は、階段巾木２の端面２０ｂ，２５ｂ及び階段表面４ａ，５ａの各入隅部にそれぞれ対応させた形状とされているので、違和感が生じ難く、より見栄えを向上させることができる。
【００３１】
また、本実施形態では、この表面カバー部１０の縁端部に、縦巾木２０及び横巾木２５の側表面２０ａ，２５ａのそれぞれに向けて下るように傾斜する傾斜面１１，１１を設けている。従って、表面カバー部１０と縦巾木２０及び横巾木２５の側表面２０ａ，２５ａとの段差の違和感を、縁端部の傾斜面１１，１１によって低減することができ、より見栄えを向上させることができる。
【００３２】
また、本実施形態に係る階段巾木カバー１は、縦巾木２０の前端面２０ｂ及び横巾木２５の上端面２５ｂを覆うように形成されるとともに、側壁面６側に向けて突設されたコーナーカバー片部１４を備えている。従って、縦巾木２０の前端面２０ｂと横巾木２５の上端面２５ｂとの間に形成される隙間を覆い隠すことができ、これらの接合部を見栄え良く納めることができる。また、このコーナーカバー片部１４は、これら前端面２０ｂ及び上端面２５ｂに沿うように断面略Ｖ字状に形成されているので、これら前端面２０ｂ及び上端面２５ｂを繋ぐような自然な外観となり、より見栄えを向上させることができる。
さらに、このコーナーカバー片部１４を、当該階段巾木カバー１の位置決め部として利用することもできる。
さらにまた、本実施形態では、このコーナーカバー片部１４の縁端部に、縦巾木２０の前端面２０ｂ及び横巾木２５の上端面２５ｂのそれぞれに向けて下るように傾斜する傾斜面１５，１５を設けている。従って、コーナーカバー片部１４と縦巾木２０の前端面２０ｂ及び横巾木２５の上端面２５ｂとの段差の違和感を、縁端部の傾斜面１５，１５によって低減することができ、より見栄えを向上させることができる。
【００３３】
また、本実施形態では、表面カバー部１０の裏面に、縦巾木２０の下端部２１と横巾木２５の後端部２６との接合部の隙間２９に挿入される挿入片１６を側壁面６側に向けて突設している。従って、この挿入片１６によって、上述のように当該階段巾木カバー１の位置合わせを容易に行うことができる。また、この挿入片１６を縦巾木２０及び横巾木２５の両方または一方の接合部側の端面２１ａ，２６ａに当接させ、接着することもでき、これによれば、当該階段巾木カバー１の取付強度を向上させることができる。
さらに、本実施形態では、階段巾木カバー１を、幅方向中心線を挟んで、つまり、幅方向中心線を対象軸として、線対称な形状としている。従って、当該階段巾木カバー１を、階段３の両側端部のいずれの側の入隅部にも配設することができる。これにより、部材点数を増加させることなく、同一部材を階段３の両側端部の各入隅部用として兼用（左右兼用）できるので、取扱い性が良く、施工性をより向上させることができる。
【００３４】
次に、本発明に係る他の実施の形態について、図面を参照しながら説明する。
図４〜図６は、第２実施形態に係る階段巾木カバー及びこれを用いた階段巾木の接合部納め構造の一例について説明するための概念的な説明図である。
なお、上記第１実施形態との相違点について主に説明し、同様の構成については、同一符号を付し、その説明を省略または簡略に説明する。
【００３５】
本実施形態に係る階段巾木カバー１Ａは、図４に示すように、縦勝ちまたは横勝ちに納められる縦巾木２０の下端部２１Ａと横巾木２５の後端部２６Ａとの接合部に沿って配設される帯板状の表面カバー部１０Ａを備えている。つまり、本実施形態では、縦巾木２０及び横巾木２５は、これらの下端部２１Ａ及び後端部２６Ａが斜めではなく、長手方向に略直交する方向に切断された構造とされている。
図例では、縦勝ちに納めた例を示しており、縦巾木２０の下端部２１Ａが踏み板５の上面５ａ近傍に至るように固定され、その下端面２１ａが踏み板５の上面５ａに近接対面して固定された例を示している。また、横巾木２５の後端部２６Ａは、その後端面２６ａが、縦巾木２０の下端部２１Ａの前端面２０ｂに近接対面して固定された例を示している。
このように縦勝ちに納められる縦巾木２０の下端部２１Ａと横巾木２５の後端部２６Ａとの略直線状の接合部に沿って帯板状の表面カバー部１０Ａが略鉛直に配設される。なお、階段巾木２が横勝ちに納められる場合には、当該表面カバー部１０Ａは、略水平に配設される。
【００３６】
表面カバー部１０Ａは、図６（ａ）〜（ｃ）に示すように、上記第１実施形態と同様、薄平板状に形成されている。また、本実施形態では、表面カバー部１０Ａは、図５（ａ）に示すように、上記のように直線状とされた接合部の長さに応じた長さとされている。つまり、階段巾木２の幅寸法に概ね応じた長さ寸法とされている。
また、本実施形態では、表面カバー部１０Ａは、縦勝ちに納められた縦巾木２０の下端部２１Ａの前端面２０ｂ近傍の側表面２０ａ及び横巾木２５の後端面２６ａ近傍の側表面２５ａを覆うように比較的幅狭とされた帯板状とされている。なお、階段巾木２が横勝ちに納められる場合には、表面カバー部１０Ａは、縦巾木２０の下端面２１ａ近傍の側表面２０ａ及び横巾木２５の後端部２６Ａの上端面２５ｂ近傍の側表面２５ａを覆う構成となる。
また、この表面カバー部１０Ａは、図５（ａ）及び図６（ａ）に示すように、その幅方向両側の縁端部に、上記同様の傾斜面１１，１１を設けている。
【００３７】
また、この表面カバー部１０Ａの一端部（上端部）１３Ａは、上記第１実施形態に係る階段巾木カバー１の前上端部１３と概ね同様、縦巾木２０の前端面２０ｂと横巾木２５の上端面２５ｂとの入隅部に対応させて略Ｖ字状に凹んだ形状とされている。
一方、この表面カバー部１０Ａの他端部（下端部）１２Ａは、階段３の踏み板５の上面５ａに対応させて略直線形状とされている。この下端部１２Ａは、踏み板５の上面５ａに近接乃至は当接して配設される構成とされている。なお、階段巾木２が横勝ちに納められる場合には、この下端部１２Ａは、蹴込み板４の前面４ａに近接乃至は当接して配設される構成となる。
【００３８】
また、表面カバー部１０Ａの上端部１３Ａには、図５（ｂ）及び図６（ａ）、（ｂ）に示すように、上記第１実施形態と概ね同様の断面略Ｖ字状とされたコーナーカバー片部１４Ａが側壁面６側に向けて突設されている。このコーナーカバー片部１４Ａの縁端部には、上記同様の傾斜面１５，１５が設けられている。
このコーナーカバー片部１４Ａは、表面カバー部１０Ａの幅方向略中心において長手方向に沿って設けられた第１片部（縦片部）とこの第１片部の一端部（下端部）に連成され、この第１片部に対して直交する方向に沿って設けられた第２片部（横片部）とを有した形状とされている。
【００３９】
表面カバー部１０Ａの裏面には、図５（ｂ）及び図６（ｂ）、（ｃ）に示すように、上記第１実施形態と概ね同様の挿入片１６Ａが側壁面６側に向けて突設されている。
この挿入片１６Ａは、コーナーカバー片部１４Ａの上記縦片部に連なるように、表面カバー部１０Ａの長手方向（上下方向）の略全長に亘って、その裏面に設けられている。この挿入片１６Ａは、その両側の各側面が、階段巾木２の接合部側の各端面（図例では、縦巾木２０の前端面２０ｂ及び横巾木２５の後端面２６ａ）のそれぞれに近接乃至は当接して配設される構成とされている。
なお、図例では、これらコーナーカバー片部１４Ａの縦片部及び挿入片１６Ａを、表面カバー部１０Ａの幅方向中心よりも、加工誤差の生じ難い階段巾木２の勝ち側の接合部側端面（図例では、縦巾木２０の前端面２０ｂ）側に僅かに寄った位置に設けている。つまり、加工誤差の生じ易い階段巾木２の勝ち側とは異なる側の端部（図例では、横巾木２５の後端部２６Ａ）を覆う表面カバー部１０Ａの幅寸法を僅かに大きくしている。
【００４０】
また、本実施形態では、表面カバー部１０Ａの他端部（下端部）１２Ａに、階段巾木２の勝ち側の端部の端面（図例では、縦巾木２０の下端面２１ａ）に沿うように配設されるとともに、この端部（図例では、縦巾木２０の下端部２１Ａ）を覆う帯状覆い片部１７を更に連成している。当該階段巾木カバー１Ａは、この帯状覆い片部１７と表面カバー部１０Ａとによって、図５に示すように、略Ｌ字状の外郭形状とされている。
この帯状覆い片部１７は、表面カバー部１０Ａと同様、薄平板状に形成されており、階段巾木２の幅寸法に応じた長さとされ、縦勝ちに納められた縦巾木２０の下端面２１ａ近傍の側表面２０ａを覆うように比較的幅狭とされた帯板状とされている。なお、階段巾木２が横勝ちに納められる場合には、この帯状覆い片部１７は、横巾木２５の後端面２６ａ近傍の側表面２５ａを覆う構成となる。
【００４１】
また、この帯状覆い片部１７の幅方向の反階段表面側の縁端部（図例では上縁端部）には、階段巾木２の勝ち側の側表面（図例では、縦巾木２０の側表面２０ａ）に向けて下るように傾斜する上記同様の傾斜面１７ａが設けられている。この傾斜面１７ａは、図５（ａ）及び図６（ａ）に示すように、帯状覆い片部１７の長手方向に沿って、その略全長に亘って形成されている。また、この傾斜面１７ａは、長手方向一端が、図５（ａ）に示すように表面カバー部１０Ａの勝ち側の端部を覆う側の傾斜面１１に連なるように設けられるとともに、長手方向他端が、当該帯状覆い片部１７の長手方向の階段表面側端部の縁端部に至るように設けられている。
また、この帯状覆い片部１７は、幅方向の階段表面側の縁端部（図例では下縁端部）に沿うようにして、その裏面から側壁面６側に向けて突設された挿入片部１８を有している。
【００４２】
挿入片部１８は、図５（ｂ）及び図６（ａ）、（ｃ）に示すように、表面カバー部１０Ａに設けられた挿入片１６Ａと概ね同様、薄平板状とされている。この挿入片部１８の両側の各側面が、階段表面（図例では、踏み板５の上面５ａ）及び階段巾木２の勝ち側の端部の端面に近接乃至は当接して配設される構成とされている。
また、この挿入片部１８は、長手方向の一端部が、表面カバー部１０Ａに設けられた挿入片１６Ａの長手方向の一端部（下端部）に連なるように設けられている。また、長手方向の他端部は、上記第１実施形態に係る階段巾木カバー１の挿入片１６と同様、図５（ｂ）及び図６（ａ）、（ｄ）に示すように、長手方向の途中部位に位置している。
【００４３】
上記構成とされた階段巾木カバー１Ａは、上述したように階段巾木２の縦巾木２０及び横巾木２５を縦勝ちで納めて固定した後に、その接合部に沿って配設するようにしてもよい。
この際、表面カバー部１０Ａの裏面に設けられた挿入片１６Ａを縦巾木２０と横巾木２５との接合部の隙間２９Ａに挿入するとともに、帯状覆い片部１７の裏面に設けられた挿入片部１８を階段巾木２の勝ち側の端部の端面２１ａと階段表面５ａとの間の隙間に挿入する。また、表面カバー部１０Ａの裏面を各側表面２０ａ，２５ａに当接させるとともに、帯状覆い片部１７の裏面を階段巾木２の勝ち側の側表面２０ａに当接させる。
【００４４】
また、本実施形態では、上記のように当接させる際、コーナーカバー片部１４Ａの縦片部及びこれに連なる挿入片１６Ａの勝ち側の側面を、階段巾木２の勝ち側の接合部側の端面２０ｂに沿わせるようにして当接させる。また、コーナーカバー片部１４Ａの横片部を階段巾木２の勝ち側とは異なる側の幅方向反階段表面側の端面２５ｂに当接させ、当該階段巾木カバー１Ａを位置決めし、固定するようにしてもよい。
つまり、挿入片１６Ａ及び挿入片部１８を上記各隙間にそれぞれ挿入させて、大まかな位置合わせを行う。そして、当該階段巾木カバー１Ａを、上記第１実施形態と同様、挿入片１６Ａの長手方向に沿わせてスライドさせ、コーナーカバー片部１４Ａの横片部を階段巾木２の勝ち側とは異なる側の幅方向反階段表面側の端面２５ｂに当接させることで、当該階段巾木カバー１Ａの位置決めを行うようにしてもよい。また、この際、表面カバー部１０Ａの下端部１２Ａ及び挿入片部１８の底面を、階段表面（図例では、踏み板５の上面５ａ）に当接させて、当該階段巾木カバー１Ａの位置決めを行うようにしてもよい。
【００４５】
なお、縦巾木２０及び横巾木２５を固定した後に、階段巾木カバー１Ａをこれらの接合部に取付固定する態様に限られず、縦巾木２０及び横巾木２５の一方を固定した後、階段巾木カバー１Ａを、その一方、例えば、階段巾木２の勝ち側に対して取付固定し、次いで、他方を固定する態様としてもよい。このような施工態様においても、階段巾木カバー１Ａの挿入片１６Ａ、コーナーカバー片部１４Ａ及び挿入片部１８を利用して、当該階段巾木カバー１Ａの位置合わせを容易に行うことができる。
【００４６】
以上のように、本実施形態に係る階段巾木カバー１Ａを用いて階段巾木２の接合部を納めることで、上記第１実施形態と概ね同様の効果を奏する。
また、本実施形態では、縦巾木２０の下端部２１Ａと横巾木２５の後端部２６Ａとを、縦勝ちまたは横勝ちで接合部が略直線状となるように接合する構造とし、この接合部に沿って略鉛直または略水平に表面カバー部１０Ａを配設する態様としている。また、この表面カバー部１０Ａの一端部１３Ａを、縦巾木２０の前端面２０ｂと横巾木２５の上端面２５ｂとの入隅部に対応させて略Ｖ字状に凹んだ形状とし、その他端部１２Ａを、踏み板５の上面５ａまたは蹴込み板４の前面４ａに対応させて略直線形状としている。従って、これら階段巾木２の接合部位において、略鉛直または略水平に配設される表面カバー部１０Ａが階段３のアクセントとなり、見栄えを向上させることができる。
また、この表面カバー部１０Ａの長手方向の各端部は、階段巾木２の入隅部及び階段表面にそれぞれ対応させた形状としているので、違和感が生じ難く、より見栄えを向上させることができる。
【００４７】
さらに、本実施形態では、表面カバー部１０Ａの他端部１２Ａに、階段巾木２の勝ち側の端部の端面、つまり、縦巾木２０の下端部２１Ａの端面２１ａまたは横巾木２５の後端部２６Ａの端面２６ａに沿うように配設されるとともに、この端部を覆う帯状覆い片部１７を更に連成している。従って、縦勝ちまたは横勝ちで接合される階段巾木２の勝ち側の端部を、見栄え良く納めることができる。
さらにまた、本実施形態では、この帯状覆い片部１７の裏面に、階段巾木２の勝ち側の端部の端面と、階段表面との間に挿入される挿入片部１８を突設している。従って、この挿入片部１８を利用して当該階段巾木カバー１Ａの位置合わせを行うこともできる。また、この挿入片部１８を、階段巾木２の勝ち側の端部の端面、及び階段表面の両方または一方に当接させ、接着することもでき、これによれば、当該階段巾木カバー１Ａの取付強度をより向上させることができる。
【００４８】
なお、図４に示す階段３の側端部とは異なる側の側端部の入隅部に沿って配設される縦勝ちで納められた階段巾木に対して本実施形態に係る階段巾木カバーを用いる場合には、図例の階段巾木カバーの表裏を反転させたような形状とすればよい。また、図４に示す階段３の側端部の入隅部に沿って配設された階段巾木が横勝ちで納められている場合には、図例の階段巾木カバーの表裏を反転させたような形状とすればよい。
また、本実施形態では、表面カバー部の他端部に、挿入片部を裏面に突設させた帯状覆い片部を連成した例を示しているが、この帯状覆い片部に、挿入片部を設けないようにしてもよく、さらには、帯状覆い片部を設けないようにしてもよい。このような帯状覆い片部を設けない態様としても、階段巾木の接合部の隙間は、表面カバー部によって覆い隠すことができる。
【００４９】
次に、本発明に係る更に他の実施の形態について、図面を参照しながら説明する。
図７〜図９は、第３実施形態に係る階段巾木カバー及びこれを用いた階段巾木の接合部納め構造の一例について説明するための概念的な説明図である。
なお、上記第１実施形態との相違点について主に説明し、同様の構成については、同一符号を付し、その説明を省略または簡略に説明する。
【００５０】
本実施形態に係る階段巾木カバー１Ｂは、図７に示すように、上記第１実施形態及び第２実施形態とは異なり、略矩形平板状に形成された表面カバー部１０Ｂを備えている。
表面カバー部１０Ｂは、図９（ａ）、（ｂ）に示すように、上記第１実施形態と同様、薄平板状に形成されている。また、本実施形態では、表面カバー部１０Ｂは、図８に示すように、高さ寸法及び幅寸法が概ね同寸法とされた略正方形状とされており、これら各寸法は、階段巾木２の幅寸法に概ね応じた寸法とされている。
このように略正方形状とされた表面カバー部１０Ｂの一角部１３Ｂを介して互いに隣接する二縁端部には、上記同様の傾斜面１１，１１が設けられている。
【００５１】
また、この表面カバー部１０Ｂの一角部１３Ｂは、上記第１実施形態に係る階段巾木カバー１の前上端部１３と概ね同様、縦巾木２０の前端面２０ｂと横巾木２５の上端面２５ｂとの入隅部に対応させて略Ｖ字状に凹んだ形状とされている。
一方、この表面カバー部１０Ｂの一角部１３Ｂの対角を介して互いに隣接する各側端部１２Ｂ，１２Ｂは、階段３の蹴込み板４の前面４ａ及び踏み板５の上面５ａのそれぞれに対応させて略直線形状とされている。これら各側端部１２Ｂ，１２Ｂは、蹴込み板４の前面４ａ及び踏み板５の上面５ａのそれぞれに近接乃至は当接して配設される構成とされている。
また、表面カバー部１０Ｂの一角部１３Ｂには、図８（ｂ）及び図９（ａ）、（ｂ）に示すように、上記第１実施形態と概ね同様の断面略Ｖ字状とされたコーナーカバー片部１４Ｂが側壁面６側に向けて突設されている。このコーナーカバー片部１４Ｂの縁端部には、上記同様の傾斜面１５，１５が設けられている。
この階段巾木カバー１Ｂは、一角部１３Ｂとその対角とを通る対角線を対称軸として、線対称な形状とされている。
【００５２】
上記構成とされた階段巾木カバー１Ｂは、帯板状に形成された表面カバー部を備えた上記第１実施形態及び第２実施形態に係る階段巾木カバー１，１Ａとは異なり、縦巾木２０の下端部２１Ｂと横巾木２５の後端部２６Ｂとの接合部を大きく覆い隠す形状とされている。
従って、これら縦巾木２０の下端部２１Ｂ及び横巾木２５の後端部２６Ｂの切断形状の自由度が、上記第１実施形態及び第２実施形態に係る階段巾木カバー１，１Ａと比べて、高まる。つまり、これら縦巾木２０の下端部２１Ｂ及び横巾木２５の後端部２６Ｂが留め加工状に斜めに切断されたものであっても、長手方向に対して略直交する方向に切断されたものであっても、これらの接合部側の端部を覆い隠すことができる。例えば、図８の二点鎖線において示すように、縦巾木２０の下端面２１ａと横巾木２５の後端面２５ａとの間に比較的、大きな矩形状の隙間（空間）２９Ｂが形成されるような場合にもこの空間２９Ｂを含め、これらの側表面２０ａ，２５ａを覆い隠すことができる。これによれば、階段巾木２の材料コストを低減することができる。
【００５３】
なお、本実施形態に係る階段巾木カバー１Ｂの階段巾木２への取り付け態様は、挿入片を利用した大まかな位置合わせの態様を除いて、上記第１実施形態と概ね同様であるので、その説明を省略する。
また、本実施形態に係る階段巾木カバー１Ｂを用いて階段巾木２の接合部を納めることで、挿入片を設けたことによる効果を除いて、上記第１実施形態と概ね同様の効果を奏する。
なお、本実施形態に係る階段巾木カバー１Ｂの側端部１２Ｂ，１２Ｂの一方に、上記第２実施形態において説明したような挿入片部を設けるようにしてもよい。
【００５４】
次に、本実施形態に係る階段巾木カバーの一変形例について、図９（ｃ）に基づいて説明する。
本変形例に係る階段巾木カバー１Ｃは、表面カバー部１０Ｂの裏面に、側壁面６側に向けて突設された挿入片１６Ｂを有している。
この挿入片１６Ｂは、図例では、上記第２実施形態と同様、その両側の各側面が、縦勝ちまたは横勝ちで納められる階段巾木２の接合部側の各端面（図例では、縦巾木２０の前端面２０ｂ及び横巾木２５の後端面２６ａ）のそれぞれに近接乃至は当接して配設される構成とされている。
【００５５】
このような縦勝ちまたは横勝ちで納められる階段巾木２の接合部の隙間に応じた挿入片１６Ｂに代えて、二点鎖線で示すように、上記第１実施形態と同様の斜めに傾斜する接合部の隙間に応じた挿入片１６Ｃを、表面カバー部１０Ｂの裏面に設けるようにしてもよい。
上記のような挿入片１６Ｂまたは挿入片１６Ｃを設けることで、上記第１実施形態及び第２実施形態と同様の効果を奏する。
また、このような挿入片１６Ｂ，１６Ｃを設けることで、接合部の隙間が図８のように比較的、大きい場合等においては、この挿入片が側壁面との間のスペーサー部材となり、当該階段巾木カバー１Ｃが側壁面に向けて位置ズレ等をするようなことを防止することができる。
【００５６】
なお、上記各実施形態に係る各階段巾木カバーが用いられる階段としては、図例のようなものに限られず、各種の形状とされた階段の表面と、その側方の面との入隅部に沿って配設される階段巾木の接合部に用いることができる。
また、上記各実施形態では、踏み板と蹴込み板との連結角度が略直角とされた階段を示し、これに対応させて縦巾木と横巾木とが略直交するように連結されるような態様を示しているが、このような態様に限られない。例えば、踏み板と蹴込み板との連結角度が鋭角とされた階段に対して階段巾木を配設し、この階段巾木の接合部に上記各実施形態に係る各階段巾木カバーを用いるようにしてもよい。この場合は、上記連結角度に応じて、各表面カバー部や各コーナーカバー片部、各挿入片などの形状を変形するようにすればよい。
【００５７】
さらに、階段巾木は、図例のような断面略矩形状とされたものに限られず、側表面に長手方向に沿う凹溝が形成されたものや、幅方向の反階段表面側の端部に面取り部や段部などを備えた階段巾木としてもよい。この場合は、各実施形態に係る階段巾木カバーの表面カバー部やコーナーカバー片部の形状を、階段巾木の表面形状（側表面及び幅方向反階段表面側の端部の形状）に応じた形状としてもよい。
さらにまた、階段巾木としては、長尺の帯状材を切断することで縦巾木及び横巾木が形成されるものに限られず、階段の形状に合わせて予めモジュール化（階段とユニット化）されて上記各実施形態において説明したような形状とされているものとしてもよい。
【００５８】
また、上記第１実施形態及び第２実施形態並びに上記第３実施形態の変形例では、表面カバー部の裏面に、一枚板状の挿入片を設けた例を示しているが、このような態様に限られない。例えば、設けられる部位の長手方向に沿って間隔を空けて複数箇所に挿入片を設ける態様としてもよい。また、挿入片は、その突出寸法が、階段巾木の厚さ寸法と概ね同寸法とされたものに限られず、この厚さ寸法よりも小さい寸法とされたものとしてもよい。
さらには、このような挿入片を設けない態様としてもよい。このような態様によっても、表面カバー部に連成されたコーナーカバー片部によって、階段巾木カバーの位置決めを容易に行うことができる。
【００５９】
さらに、表面カバー部の形状は、上記各実施形態において示した形状に限られず、つまり、帯板状または矩形平板状のものに限られず、三角形状やその他の多角形状、菱形状等、種々の形状とされた表面カバー部を採用することができる。このような表面カバー部としては、接合される縦巾木の下端部と横巾木の後端部との接合部側の端面近傍の各側表面を、端面間の隙間を跨ぐように覆い得る形状とすればよい。
さらにまた、表面カバー部及びコーナーカバー片部の各縁端部に設けた傾斜面の両方または一方を設けないようにしてもよい。
【００６０】
また、上記各実施形態において説明した挿入片及びコーナーカバー片部の両方または一方に、縦巾木及び横巾木の両方または一方の側裏面に引っ掛けられる引っ掛け片部を更に連成するようにしてもよい。このような態様とすれば、当該階段巾木カバーを、接着剤などを用いて取付固定する際に、接着剤が硬化する前に、位置ズレや浮き上がり等が生じることを防止でき、施工後の見栄えを向上させることができる。
【符号の説明】
【００６１】
１，１Ａ，１Ｂ，１Ｃ          階段巾木カバー
１０，１０Ａ，１０Ｂ          表面カバー部
１１                          表面カバー部の傾斜面
１４，１４Ａ，１４Ｂ          コーナーカバー片部
１５                          コーナーカバー片部の傾斜面
１６，１６Ａ，１６Ｂ，１６Ｃ  挿入片
２                            階段巾木
２０                          縦巾木
２０ａ                        縦巾木の側表面
２０ｂ                        縦巾木の前端面（前面）
２１，２１Ａ，２１Ｂ          縦巾木の下端部
２５                          横巾木
２５ａ                        横巾木の側表面
２５ｂ                        横巾木の上端面（上面）
２６，２６Ａ，２６Ｂ          横巾木の後端部
２９，２９Ａ，２９Ｂ          接合部の隙間
４ａ                          蹴込み板の前面（階段表面）
５ａ                          踏み板の上面（階段表面）
６                            側壁面
【図１】
0005603139.tif 000002
【図２】
0005603139.tif 000003
【図３】
0005603139.tif 000004
【図４】
0005603139.tif 000005
【図５】
0005603139.tif 000006
【図６】
0005603139.tif 000007
【図７】
0005603139.tif 000008
【図８】
0005603139.tif 000009
【図９】
0005603139.tif 000010